(57)【要約】【課題】  片手でのトイレットペーパー等の切り取り作業を簡単かつ省力的な操作で行うことができ、さらに縦向きに取り付けても操作性が悪化することがなく、しかも、衛生面でも優れたワンハンドカット可能なペーパーロールホルダーを提供すること。【解決手段】  ペーパーロールを着脱自在なホルダー本体と；上面に磁石或いは磁性体から成る磁着面部が設けられたペーパー受け台と；ホルダー本体の両側板に枢着された回動アーム部と；回動アーム部の先端部に連結され、ペーパー受け台の前記磁着面部に磁着される磁石或いは磁性体を下面部に備えて、この下面部を、紙が載置された受け台に磁着させることにより挟み込んだ紙を固定できるマグネット・バー部材と；バー部材における少なくとも一方側の側端部に枢設され、作用端部が他端の力点端部とバー部材の摘み操作によって拡開するピンチレバー部とを含んで構成した。【選択図】  図１
2009285123.tif 000002
【特許請求の範囲】
【請求項１】
所定間隔で並立する側板11・11の間に、紙Ｐが巻回されて成るペーパーロールＲを着脱自在に装着可能なホルダー本体１と；このホルダー本体１の前側に配設されてペーパーロールＲから解いた紙Ｐを上面に載置可能で、かつ、この上面には磁石或いは磁性体から成る磁着面部21が設けられたペーパー受け台２と；前記ホルダー本体１の両側板11・11に上下に回動自在に枢着された回動アーム部３・３と；この回動アーム部３・３の先端部に連結されて共に揺動可能で、かつ、ペーパー受け台２の前記磁着面部21に磁着される磁石或いは磁性体を下面部41に備えて、この下面部41を、前記紙Ｐが載置された受け台２に磁着させることにより挟み込んだ紙Ｐを固定できるマグネット・バー部材４と；このバー部材４における少なくとも一方側の側端部に枢設され、作用端部51が他端の力点端部52とバー部材４との摘み操作によって拡開するピンチレバー部５とを含んで成り、
前記ピンチレバー部５の作用端部51を、磁着した受け台２とバー部材４の間におけるスペースＳに挿入して、当該作用端部51をテコ式に押し広げることによって磁着したマグネット・バー部材４をペーパー受け台２から脱離可能としたことを特徴とするワンハンドカット可能なペーパーロールホルダー。
【請求項２】
マグネット・バー部材４の両側にピンチレバー部５・５が付設されていることを特徴とする請求項１記載のワンハンドカット可能なペーパーロールホルダー。
【請求項３】
マグネット・バー部材４の側端下部に、摘み操作により回動するピンチレバー部５を所定の角度で衝止するストッパー部43を設けたことを特徴とする請求項１または２に記載のワンハンドカット可能なペーパーロールホルダー。
【発明の詳細な説明】
【技術分野】
【０００１】
本発明は、ペーパーロールホルダーの改良、詳しくは、片手でのトイレットペーパー等の切り取り作業を簡単かつ省力的な操作で行うことができ、かつ、縦向きに取り付けても操作性が悪化することがなく、しかも、衛生面でも優れたワンハンドカット可能なペーパーロールホルダーに関するものである。
【背景技術】
【０００２】
近年では、バリアフリーの観点から片手が不自由な障害者や高齢者であってもトイレを不便なく使用することができるように、トイレットペーパーの切り取り作業を片手でも行えるようにした補助具や補助機能（通称「ワンハンドカット機能」）を有するトイレットペーパーホルダーが公知となっている。
【０００３】
そして、このような片手での切り取り作業を可能にした従来の補助具としては、＜特許文献１＞にあるような、磁石から成る載置台と押え具から成るものであって、これらの間にペーパーロールから引き出したトイレットペーパーを挟んで固定することにより、トイレットペーパーを任意の長さで簡単に切り取れるようにしたものが知られている。
【０００４】
ところが、上記＜文献１＞の従来技術においては、トイレットペーパーを引き出すときに、押え具を載置台から取り外して一旦他の場所に置いておかなければならず、その途中で押え具を床面などに落としてしまうと、トイレットペーパーと接触する押え具の磁石面に床面の雑菌が付着してしまう虞れがあるため、衛生面での問題を生じる危険性が高かった。
【０００５】
また、固定手段としてマグネット式の載置台と押え具を採用する場合には、トイレットペーパーをしっかりと固定するために磁着力をある程度強力にする必要があるため、押え具を受け台から引き離す操作にも比較的強い力が必要となり、この操作が平指の不自由な障害者や高齢者にとって大きな負担となるだけでなく、和式便器などでしゃがんだ状態から力を入れて押え具を引き離すとその反動で体勢が崩れる心配もあった。
【０００６】
一方、従来においては、＜特許文献２＞にあるような、マグネット式の押え具を載置台に回動自在に連結したものも公知となっているが、このような構造のトイレットペーパーホルダーを和式トイレなどで横向きに取り付けると、押え具を左右どちらか一方に引き起こす必要があるため、操作上どうしても肩を捻る動作が必要となり、その動作で肩などに負担がかかって疲労し易い傾向があった。
【０００７】
また、上記＜文献２＞に係るトイレットペーパーホルダーを、洋式トイレなどで縦向きに取り付けた場合には、押え具を起こす向きを手前側か奥側にする必要があり、手前側に起こす場合だとトイレットペーパーを引き出すときに押え具が邪魔になり、奥側に起こす場合だと起こした押え具をもう一度手前に倒すために遠くまで腕を伸ばす必要が生じて使い勝手が非常に悪かった。
【０００８】
加えて、上記の従来技術では、トイレットペーパーを引き出す際に、載置台上に残った紙の切れ端を摘み出す（頭出し）作業が必要となったが、指先を上手く動かせない人にとってはこの作業が非常に困難で煩わしいという不満もあった。
【特許文献１】特開２００７−７５１７７号公報（第１−１３頁、第１−７図）
【特許文献２】特開平１０−１４６２９７号公報（第２−３頁、図１−６図）
【発明の開示】
【発明が解決しようとする課題】
【０００９】
本発明は、上記の如き問題に鑑みて為されたものであり、その目的とするところは、片手でのトイレットペーパー等の切り取り作業を簡単かつ省力的な操作で行うことができ、さらに縦向きに取り付けても操作性が悪化することがなく、しかも、衛生面でも優れたワンハンドカット可能なペーパーロールホルダーを提供することにある。
【課題を解決するための手段】
【００１０】
本発明者が上記課題を解決するために採用した手段を添付図面を参照して説明すれば次のとおりである。
【００１１】
即ち、本発明は、所定間隔で並立する側板11・11の間に、紙Ｐが巻回されて成るペーパーロールＲを着脱自在に装着可能なホルダー本体１と；このホルダー本体１の前側に配設されてペーパーロールＲから解いた紙Ｐを上面に載置可能で、かつ、この上面には磁石或いは磁性体から成る磁着面部21が設けられたペーパー受け台２と；前記ホルダー本体１の両側板11・11に上下に回動自在に枢着された回動アーム部３・３と；この回動アーム部３・３の先端部に連結されて共に揺動可能で、かつ、ペーパー受け台２の前記磁着面部21に磁着される磁石或いは磁性体を下面部41に備えて、この下面部41を、前記紙Ｐが載置された受け台２に磁着させることにより挟み込んだ紙Ｐを固定できるマグネット・バー部材４と；このバー部材４における少なくとも一方側の側端部に枢設され、作用端部51が他端の力点端部52とバー部材４の摘み操作によって拡開するピンチレバー部５とを含んで成り、
前記ピンチレバー部５の作用端部51を、磁着した受け台２とバー部材４の間におけるスペースＳに挿入して、当該作用端部51をテコ式に押し広げることによって磁着したマグネット・バー部材４をペーパー受け台２から脱離可能とした点に特徴がある。
【００１２】
また、本発明は、上記課題を解決するために、必要に応じて上記手段に加え、マグネット・バー部材４の両側にピンチレバー部５・５を枢設するという技術的手段を採用することができる。
【００１３】
また、本発明は、上記課題を解決するために、必要に応じて上記手段に加え、マグネット・バー部材４の側端下部に、摘み操作により回動するピンチレバー部５を所定の角度で衝止するストッパー部43を設けるという技術的手段を採用することができる。
【発明の効果】
【００１４】
本発明においては、ホルダー本体にペーパーロールから引き出したトイレットペーパーを載置する受け台を設けるとともに、この受け台に磁着するマグネットを使用したバー部材を、ホルダー本体に枢着した回動アームの先端に取り付ける一方、このバー部材の側端部にはピンチレバーを設けて、このピンチレバーの作用端部を磁着した受け台とバー部材との隙間に挿入し、レバーの摘み操作により作用端部をテコ式に押し広げてバー部材を受け台から脱離可能としたことにより、省力的な操作で磁着状態を解除することができるため、腕の力が弱い障害者や高齢者であっても片手で簡単にトイレットペーパーの切り取り作業を行うことができる。
【００１５】
そして、バー部材を受け台から引き離した後は、ピンチレバーを指に載せたままバー部材を回動頂点付近まで持ち上げるだけでバー部材を奥側に倒してホルダー本体の上部に載置することができるため、腕を上げる動作だけで操作を行うことができ、肩を捻る動作が不要となって肩などに負担がかかることもない。
【００１６】
また、上記の操作はピンチレバーを指に載せた状態から上方に跳ね上げることによっても行うことができ、このような方法で使用すればより小さな動作でより素早く操作を行うことが可能となる。
【００１７】
一方、洋式トイレなどでホルダー本体を縦向きに取り付けた場合においても、トイレットペーパーの引き出しやバー部材の戻し操作に支障が生じることはないため、使い勝手が損なわれることはない。
【００１８】
また、トイレットペーパーを再度引き出す際には、受け台の後側にある紙を指先で押さえ、押さえた紙をそのまま手前に引いてスライドさせるだけで切れ端の頭出しを行うことができるため、指先が不自由な人であっても容易に使用できる。
【００１９】
他方また、トイレットペーパーに直接接触するバー部材は、回動アームを介してホルダー本体に一体的に設けられているため、バー部材が脱落して床面等の雑菌が付着するような心配はなく、衛生面でも安心である。
【００２０】
したがって、本発明により、片手しか使用できない障害者や高齢者にとって非常に使い易く、取り付け向きも制限されない機能性に優れたペーパーロールホルダーを提供できることから、本発明の実用的利用価値は頗る高い。
【発明を実施するための最良の形態】
【００２１】
本発明を実施するための最良の形態を具体的に図示した図面に基づいて更に詳細に説明すると、次のとおりである。
【００２２】
『実施例１』
本発明の実施例１は、図１から図６に示される。同図において、符号１で指示するものはホルダー本体であり、符号２で指示するものはペーパー受け台である。次いで、符号３で指示するものは、回動アーム部であり、符号４で指示するものは、マグネット・バー部材である。そして、符号５で指示するものは、ピンチレバー部である。
【００２３】
この実施例１においては、ペーパーロールＲを着脱自在に装着できるロール装着部12・12を両側板11・11に備えたホルダー本体１に対し、ペーパーロールＲから引き出した紙Ｐを上面に載置可能なペーパー受け台２をホルダー前方に突き出した状態で一体的に固定しており、このペーパー受け台２の上面部には、紙Ｐの幅よりも長いプレート状の磁石Ｍ1を固着して磁着面部21を設けている（図１参照）。
【００２４】
なお、ホルダー本体１のロール装着部12・12は、両側板11・11に弾力的に上下に回動する係止片12a・12aから成るものを採用しており、このようなロール装着部12・12を採用したことによって両側板11・11間にペーパーロールＲを上から落とし込むだけで、前記係止片12a・12aのロール芯内に引っ掛けることができるため、ペーパーロールＲをホルダー本体１に対して片手で簡単に固定することができ、ペーパーロールＲの装着に関しては、引き出した紙Ｐをペーパー受け台２上に載置し易いようにロール下側から紙Ｐを引き出せるように取り付けるのが好ましい。
【００２５】
また、ホルダー本体１のロール装着部12に関しては、必ずしもロール芯を係止する構造でなくともペーパーロールＲを載置して所定位置に保持可能なボックス状の構造であってもよい。
【００２６】
一方、ホルダー本体１の両側板11・11の外側には、回動アーム部３・３を前後方向に回動自在に枢着するとともに、この回動アーム部３・３の先端部には、ペーパー受け台２の磁着面部21に吸着される磁石Ｍ2を下面部41に備えたマグネット・バー部材４を連結してアーム部３・３と共に揺動可能に構成している。
【００２７】
そして、マグネット・バー部材４の下面部41を、前記受け台２に紙Ｐが載置された状態で磁着させれば間に挟み込んだ紙Ｐを受け台２上で固定することができ、この固定した部位で紙Ｐを切り取ることによって任意の長さのトイレットペーパーを得ることができる（図２、図３参照）。
【００２８】
この際、ペーパーロールＲにロール外面側が良好な感触の平滑面で内面側が粗面のものを使用し、このペーパーロールＲをロール下側から紙Ｐを引き出せるようにホルダー本体１に装着した場合には、紙Ｐの粗面側が受け台２上で上向きとなるため、そのまま切り取って使用すると粗面側で肛門を拭くことになってしまうが、解き端を折り返して粗面を内側に向けた状態で紙Ｐを切り取れば平滑面側で肛門を拭くことが可能となるため、快適に用を足すことができる。
【００２９】
なお実施例１では、マグネット・バー部材４の前縁部に突起部42を形成すると共に、この突起部42でペーパー受け台２上に設けた柔軟性材料から成る圧接部材22を押圧可能とすることによって、間に挟み込んだ紙Ｐを抜けが生じないように強く圧迫することができるため、危険な切断刃などを使用せずとも突起部42に沿って紙Ｐを綺麗に切り取ることができる（図４参照）。
【００３０】
なお、この際使用する圧接部材22としては、圧接機能を発揮できる柔軟性および繰り返しの使用に耐える耐久性を備えたものであれば紙や不織布、ビロードなどを適宜選択して使用することができる。
【００３１】
ちなみに、上記ペーパー受け台２の磁着面部21とマグネット・バー部材４の下面部41に関しては、磁石Ｍ1・Ｍ2同士の組み合わせにしなくとも、紙Ｐを固定できる吸着力さえあれば鉄、コバルト、ニッケルなどの強磁性体と磁石との組み合わせであってもよい。
【００３２】
他方、前記マグネット・バー部材４における両側端部には、作用端部51が他端の力点端部52とバー部材４の摘み操作によって拡開するピンチレバー部５・５を枢設しており、このピンチレバー部５の作用端部51を、図５(a)に示すように磁着したペーパー受け台２にマグネット・バー部材４の間に作出したスペースＳに挿入することによって、図５(b)に示すようにピンチレバー部５を摘み操作して作用端部51をテコ式に押し広げれば、磁着したマグネット・バー部材４をペーパー受け台２から簡単に引き離すことができるため、省力的な操作で磁着状態を解除することができる。
【００３３】
加えて、ピンチレバー部５・５をマグネット・バー部材４の両側端部に配設したことにより、使う手に近い側のピンチレバー部５を操作することができるため、使える手が左右どちらであっても不都合なく摘み操作することができる。
【００３４】
なお実施例１では、ペーパー受け台２の上面と磁着面部21である磁石Ｍ1の上面、及びマグネット・バー部材４の下面部41とバー部材４の側端下面にそれぞれ段差を設けて上記スペースＳを作出しているが、必要な大きさのスペースＳを作出できれば、どちらか一方にだけ段差を設けてもう一方を面一の状態にすることもできる。
【００３５】
また、マグネット・バー部材４をペーパー受け台２から引き離した後は、ピンチレバー部５を指に載せたままマグネット・バー部材４を回動頂点付近まで持ち上げるだけでバー部材４をホルダー本体１の上部に載置することができるため、肩を捻らずに腕を上げる動作だけで操作できる（図６参照）。
【００３６】
なおこの際、マグネット・バー部材４の側端部には、摘み操作により回動するピンチレバー部５を衝止するストッパー部43(A)を設けているため、指に載せて持ち上げる際のピンチレバー部５の角度を水平に近い状態とすることができ、これによってピンチレバー部５の持ち上げ操作が非常に行い易くなる。
【００３７】
また上記の際、指に載せた状態からピンチレバー部５を上方に跳ね上げることによってマグネット・バー部材４を奥側に回すこともでき、このような方法で使用すればより小さな動作でより素早く操作を行うことが可能となる。
【００３８】
また実施例１では、ペーパー受け台２の前側に磁着面部21を設けたことにより、切り取った後に再度紙Ｐを引き出す際、受け台２の後側にある紙Ｐを指先で押さえ、押さえた紙Ｐをそのまま手前に引いてスライドさせるだけで紙Ｐの切れ端の頭出しを行うことができるため、指先が不自由な人でも不都合なく使用できる。
【００３９】
また、ペーパー受け台２上で紙Ｐに直接接触するマグネット・バー部材４は、回動アーム部３・３を介してホルダー本体１に一体的に設けられているため、バー部材４が床に落ちるようなこともない。
【００４０】
そしてまた、洋式トイレなどでホルダー本体１を縦向きに取り付けた場合でも、ペーパーロールＲからの紙Ｐの引き出しやマグネット・バー部材４の操作に支障が生じることはないため、全てのトイレで利用することが可能である。
【００４１】
本発明は、概ね上記のように構成されるが、本発明は図示の実施形態に限定されるものでは決してなく、「特許請求の範囲」の記載内において種々の変更が可能であって、例えば、マグネット・バー部材４に対するピンチレバー部５の配設向きは横向きでなくとも、図７に示すようにマグネット・バー部材４の前側で摘み操作できるような縦向きであってもよい。
【００４２】
また、マグネット・バー部材４には、紙Ｐを切り取り易くするために切断刃を取り付けてもよく、またマグネット・バー部材４のストッパー部43(A)に関しても、図８に示すようなピンチレバー部５にストッパー部43(B)を設ける構造でも同様の効果を得ることができる。
【００４３】
そしてまた、ホルダー本体１を図９に示すような持ち運び可能な置き台状の形態とすれば、日常で使用するキッチンペーパーやペーパータオルなどのペーパーロールＲの切断具としても使用することができ、またその際にも上記トイレットペーパーと同様のワンハンドカット機能は保持されるため、障害者等にとっての使い勝手は非常に良く、何れのものも本発明の技術的範囲に属する。
【産業上の利用可能性】
【００４４】
近年においては、高齢化社会及び福祉社会の到来により、高齢者や障害者の快適な生活をサポートできる補助機能を備えた日用品が数多く開発されており、ペーパーロールホルダーに関しても片手が不自由な高齢者や障害者でも簡単に使用できるワンハンドカット機能が開発されてその需要は高い。
【００４５】
そのような中で、本発明のワンハンドカット可能なペーパーロールホルダーは、簡単な構造でマグネット式のワンハンドカット機能を実現できる上に、今まで実用面で不便のあった操作性をも改善できる有用な技術であることから、市場における需要は大きく、その産業上の利用価値は非常に高い。
【図面の簡単な説明】
【００４６】
【図１】本発明の実施例１におけるペーパーロールホルダーを表わす全体斜視図である。
【図２】本発明の実施例１における使用状態のペーパーロールホルダーを表わす全体前面図である。
【図３】本発明の実施例１における使用状態のペーパーロールホルダーを表わす全体側面図である。
【図４】本発明の実施例１におけるペーパーロールから引き出された紙の固定状態を表わす説明断面図である。
【図５】本発明の実施例１におけるピンチレバーの操作状態を表わす状態説明図である。
【図６】本発明の実施例１におけるバー部材の後回し操作の状態を表わす状態説明図である。
【図７】本発明の変形例におけるピンチレバーの取付け構造を表わす拡大斜視図である。
【図８】本発明の変形例におけるピンチレバーの構造を表わす拡大前面図である。
【図９】本発明の変形例における使用状態のペーパーロールホルダーを表わす全体側面図である。
【符号の説明】
【００４７】
１  ホルダー本体
11  側板
12  ロール装着部
12a  係止片
２  ペーパー受け台
21  磁着面部
22  圧接部材
３  回動アーム部
４  マグネット・バー部材
41  下面部
42  突起部
43(A,B)  ストッパー部
５  ピンチレバー部
51  作用端部
52  力点端部
Ｒ  ペーパーロール
Ｐ  紙
Ｍ1  磁石(受け台側）
Ｍ2  磁石(バー部材側）
Ｓ  スペース
【図１】
2009285123.tif 000003
【図２】
2009285123.tif 000004
【図３】
2009285123.tif 000005
【図４】
2009285123.tif 000006
【図５】
2009285123.tif 000007
【図６】
2009285123.tif 000008
【図７】
2009285123.tif 000009
【図８】
2009285123.tif 000010
【図９】
2009285123.tif 000011